【手続補正書】
【提出日】平成18年4月21日(2006.4.21)
【手続補正１】
【補正対象書類名】明細書
【補正対象項目名】発明の名称
【補正方法】変更
【補正の内容】
【発明の名称】印刷方法及び印刷装置
【手続補正２】
【補正対象書類名】明細書
【補正対象項目名】特許請求の範囲
【補正方法】変更
【補正の内容】
【特許請求の範囲】
【請求項１】
印刷機上で湿し水またはインクによって少なくとも一部が除去されうる層を有する印刷版材料の印刷方法において、少なくとも下記のステップ（ａ）〜（ｆ）により印刷を行うことを特徴とする印刷方法。
（ａ）印刷版材料を印刷機の版胴に取り付けるステップ
（ｂ）印刷を行うステップ（機上現像を行って印刷版材料を印刷版とするステップを含む）
（ｃ）洗浄液を用いてブランケット胴の洗浄を行うステップ
（ｄ）ブランケット胴表面の乾燥を行うステップ
（ｅ）印刷版の排出を行うステップ
（ｆ）新たな印刷版材料を印刷機の版胴に取り付けるステップ。
【請求項２】
前記（ｅ）印刷版の排出を行うステップが、ステップ（ｃ）あるいは（ｄ）の前後、もしくは、（ｃ）あるいは（ｄ）のステップと同時に行われることを特徴とする請求項１に記載の印刷方法。
【請求項３】
ブランケット胴の乾燥を行うステップが、ブランケット表面に残存する洗浄液を乾燥した布で拭き取ることにより行われることを特徴とする請求項１又は２に記載の印刷方法。
【請求項４】
ブランケット胴の乾燥を行うステップが、ブランケット表面に温風もしくは冷風を吹きつけて、残存する洗浄液を乾燥させることにより行われることを特徴とする請求項１〜３のいずれか１項に記載の印刷方法。
【請求項５】
ブランケット胴の乾燥を行うステップが、印刷を行って、ブランケット表面に残存する洗浄液を印刷用紙に付着もしくは吸収させることにより行われることを特徴とする請求項１〜４のいずれか１項に記載の印刷方法。
【請求項６】
ステップ（ａ）と（ｂ）との間に、印刷版材料の画像形成を行うステップを有することを特徴とする請求項１〜５のいずれか１項記載の印刷方法。
【請求項７】
画像形成が赤外線レーザーによって行われることを特徴とする請求項６記載の印刷方法。
【請求項８】
印刷機上で湿し水またはインクによって少なくとも一部が除去されうる層を有する印刷版材料を印刷する印刷装置であって、該印刷装置は、
ブランケットを洗浄する洗浄機構と、
上記洗浄機構により洗浄されたブランケットを乾燥する乾燥機構と、を有し、
第１の印刷終了後、第２の印刷版材料を版胴に取り付けるまでの間に、ブランケット胴を前記洗浄機構により洗浄し、前記乾燥機構により乾燥することを特徴とする印刷装置。
【請求項９】
前記ブランケット胴の洗浄機構が、
（１）ブランケット胴表面に洗浄液を吹き付け、回転ブラシを接触させて汚れをこすり落とす洗浄機構、
（２）不織布に洗浄液を吹き付け、洗浄液が含浸した不織布をブランケット胴表面に押し付けて汚れを拭き取る洗浄機構、
（３）揮発性の低い洗浄液をあらかじめ含浸させた不織布を胴表面に押し付けて汚れを拭き取る洗浄機構
から選ばれるいずれかの洗浄機構であることを特徴とする請求項８記載の印刷装置。
【請求項１０】
ブランケット胴の乾燥機構が、
（イ）乾燥した布で残存する洗浄液拭き取る乾燥機構、
（ロ）ブランケット表面に温風もしくは冷風を吹きつけて、残存する洗浄液を乾燥する乾燥機構、
（ハ）ブランケット胴に印刷用紙を供給しブランケット表面に残存する洗浄液を印刷用紙に付着もしくは吸収させて乾燥する乾燥機構、
から選ばれるいずれかの乾燥機構であることを特徴とする請求項８又は９に記載の印刷装置。
【手続補正３】
【補正対象書類名】明細書
【補正対象項目名】００１５
【補正方法】変更
【補正の内容】
【００１５】
１．印刷機上で湿し水またはインクによって少なくとも一部が除去されうる層を有する印刷版材料の印刷方法において、少なくとも下記のステップ（ａ）〜（ｆ）により印刷を行うことを特徴とする印刷方法。
（ａ）印刷版材料を印刷機の版胴に取り付けるステップ
（ｂ）印刷を行うステップ（機上現像を行って印刷版材料を印刷版とするステップを含む）
（ｃ）洗浄液を用いてブランケット胴の洗浄を行うステップ
（ｄ）ブランケット胴表面の乾燥を行うステップ
（ｅ）印刷版の排出を行うステップ
（ｆ）新たな印刷版材料を印刷機の版胴に取り付けるステップ。
２．前記（ｅ）印刷版の排出を行うステップが、ステップ（ｃ）あるいは（ｄ）の前後、もしくは、（ｃ）あるいは（ｄ）のステップと同時に行われることを特徴とする前記１に記載の印刷方法。
【手続補正４】
【補正対象書類名】明細書
【補正対象項目名】００１６
【補正方法】変更
【補正の内容】
【００１６】
３．ブランケット胴の乾燥を行うステップが、ブランケット表面に残存する洗浄液を乾燥した布で拭き取ることにより行われることを特徴とする前記１又は２に記載の印刷方法。
【手続補正５】
【補正対象書類名】明細書
【補正対象項目名】００１７
【補正方法】変更
【補正の内容】
【００１７】
４．ブランケット胴の乾燥を行うステップが、ブランケット表面に温風もしくは冷風を吹きつけて、残存する洗浄液を乾燥させることにより行われることを特徴とする前記１〜３のいずれか１項に記載の印刷方法。
【手続補正６】
【補正対象書類名】明細書
【補正対象項目名】００１８
【補正方法】変更
【補正の内容】
【００１８】
５．ブランケット胴の乾燥を行うステップが、印刷を行って、ブランケット表面に残存する洗浄液を印刷用紙に付着もしくは吸収させることにより行われることを特徴とする請求項１〜４のいずれか１項に記載の印刷方法。
【手続補正７】
【補正対象書類名】明細書
【補正対象項目名】００１９
【補正方法】変更
【補正の内容】
【００１９】
６．ステップ（ａ）と（ｂ）との間に、印刷版材料の画像形成を行うステップを有することを特徴とする前記１〜５のいずれか１項記載の印刷方法。
【手続補正８】
【補正対象書類名】明細書
【補正対象項目名】００２０
【補正方法】変更
【補正の内容】
【００２０】
７．画像形成が赤外線レーザーによって行われることを特徴とする前記６記載の印刷方法。
８．印刷機上で湿し水またはインクによって少なくとも一部が除去されうる層を有する印刷版材料を印刷する印刷装置であって、該印刷装置は、
ブランケットを洗浄する洗浄機構と、
上記洗浄機構により洗浄されたブランケットを乾燥する乾燥機構と、を有し、
第１の印刷終了後、第２の印刷版材料を版胴に取り付けるまでの間に、ブランケット胴を前記洗浄機構により洗浄し、前記乾燥機構により乾燥することを特徴とする印刷装置。
９．前記ブランケット胴の洗浄機構が、
（１）ブランケット胴表面に洗浄液を吹き付け、回転ブラシを接触させて汚れをこすり落とす洗浄機構、
（２）不織布に洗浄液を吹き付け、洗浄液が含浸した不織布をブランケット胴表面に押し付けて汚れを拭き取る洗浄機構、
（３）揮発性の低い洗浄液をあらかじめ含浸させた不織布を胴表面に押し付けて汚れを拭き取る洗浄機構
から選ばれるいずれかの洗浄機構であることを特徴とする前記８記載の印刷装置。
１０．ブランケット胴の乾燥機構が、
（イ）乾燥した布で残存する洗浄液拭き取る乾燥機構、
（ロ）ブランケット表面に温風もしくは冷風を吹きつけて、残存する洗浄液を乾燥する乾燥機構、
（ハ）ブランケット胴に印刷用紙を供給しブランケット表面に残存する洗浄液を印刷用紙に付着もしくは吸収させて乾燥する乾燥機構、
から選ばれるいずれかの乾燥機構であることを特徴とする前記８又は９に記載の印刷装置。